(57)【特許請求の範囲】
【請求項１】
抗花粉アレルゲン剤として、プルーンエキス、プルーン酵素分解物、ビルベリー葉エキス、チョウジエキス、メマツヨイグサ種エキス、ハマメリスエキスより選ばれた１種又は２種以上の植物エキスと、保湿柔軟付与成分としてグリセリンとを含有し、家庭衛生紙にアレルゲン不活性作用及び柔軟性、保湿性を付与する家庭衛生紙用保湿柔軟付与剤。
【請求項２】
植物エキスを０．０１〜５．０重量％含有する請求項１記載の家庭衛生紙用保湿柔軟付与剤。
【請求項３】
請求項１又は２記載の家庭衛生紙用保湿柔軟付与剤により、植物エキスが、繊維ウェブ素材の乾燥重量の０．００１〜１重量％含有されるように処理してアレルゲン不活性作用及び柔軟性、保湿性を付与した家庭衛生紙。
【請求項４】
繊維ウェブ素材の坪量が１０〜３０ｇ／ｍ２（２３℃、５０％ＲＨ）である請求項３記載の家庭衛生紙。
【発明の詳細な説明】
【技術分野】
【０００１】
本発明はティッシュペーパー等の家庭衛生紙に保湿性、柔軟性を付与するための家庭衛生紙用保湿柔軟付与剤及び家庭衛生紙に関する。
【背景技術】
【０００２】
トイレットペーパーやティッシュペーパー等の家庭衛生紙には、適度な柔軟性、吸水性、保湿性が要求されている。このような要求に応えるため、処理剤によって紙類を処理することが行われており、一般的にグリセリン、脂肪酸エステル類、油脂類、パラフィン類、イミダゾリン環を有する四級塩等を用いて処理する方法が知られているが、グリセリンを用いて処理する方法では、紙類に十分な柔軟性を付与するために多量のグリセリンを使用する必要があり、処理コストが高くつくという問題があった。また脂肪酸エステル類、油脂類、パラフィン類を用いて処理する方法では、処理剤が油性成分で構成されるために紙類に要求される吸水性を阻害し、手にべたつき感が残り使用者に不快感を与え易いという問題があった。さらにイミダゾリン環を有する四級塩を用いて処理する方法では、２％以上添加した場合に発泡性が大きい為、操業に支障をきたすという問題があった。またこのような問題点を解決するものそして、第四級アンモニウム塩で処理する方法（特許文献１）、第四級アンモニウム塩とグリセリン、脂肪族アルコールを含む処理剤で処理する方法（特許文献２）、等が知られている。更に近年の住宅の気密化向上等に伴って、アレルギー性鼻炎、アトピー性皮膚炎、喘息等のアレルギー性疾患も増加する傾向にある。アレルギー性疾患はアレルゲンと呼ばれる物質が原因となって引き起こされる。このようなアレルゲンとしては、ダニ等の死骸に由来するアレルゲン、犬猫等の動物のフケや分泌物に由来のアレルゲン、カビ由来のアレルゲン等、種々のアレルゲンが知られている。特に、近年はスギ花粉、ヒノキ花粉等の種々の花粉に由来のアレルゲンによるアレルギー性疾患が急増しており、特に春先のスギ花粉症への対策は大きな社会問題になっており、アレルギー性鼻炎等の人が頻繁に使用した際の肌荒れ、炎症等を軽減することを目的としたティッシュペーパー等も提案されている（特許文献３〜５）。一方、抗菌性金属イオンを紙等のシート状物に含有させて杉花粉等のアレルゲンを不活性化させることを目的とした製品も提案されている（特許文献６）。
【０００３】
【特許文献１】特開昭６３−１６５５９７号公報
【特許文献２】特開平４−１００９９５号公報
【特許文献３】特開平５−１５６５９６号公報
【特許文献４】特開平１１−２３５２８８号公報
【特許文献５】特開２００１−３２９４８２号公報
【特許文献６】特開２００６−２９１０３１号公報
【発明の開示】
【発明が解決しようとする課題】
【０００４】
しかしながら特許文献３〜５に記載されているようなティッシュペーパーは、保湿性、柔軟性に優れ、頻繁に使用した際の肌荒れや、炎症等を軽減する効果は有していても、アレルゲン物質を積極的に不活性化することは困難であった。また特許文献６に記載されているような抗菌性金属イオンをティッシュペーパー等に含有させると、アレルゲン物質を不活性化することはできるが、抗菌性金属イオンが直接人体に接触した場合、逆に金属アレルギー等を引き起こす虞があった。
本発明は上記の点に鑑みなされたもので、直接人体に接触した場合でも安全性に優れた家庭衛生紙用保湿柔軟付与剤及び家庭衛生紙を提供することを目的とする。
【課題を解決するための手段】
【０００５】
即ち本発明は、
（１）抗花粉アレルゲン剤として、プルーンエキス、プルーン酵素分解物、ビルベリー葉エキス、チョウジエキス、メマツヨイグサ種エキス、ハマメリスエキスより選ばれた１種又は２種以上の植物エキスと、保湿柔軟付与成分としてグリセリンとを含有し、家庭衛生紙にアレルゲン不活性作用及び柔軟性、保湿性を付与する家庭衛生紙用保湿柔軟付与剤、
（２）植物エキスを０．０１〜５．０重量％含有する上記（１）の家庭衛生紙用保湿柔軟付与剤、
（３）上記（１）又は（２）の家庭衛生紙用保湿柔軟付与剤により、植物エキスが、繊維ウェブ素材の乾燥重量の０．００１〜１重量％含有されるように処理してアレルゲン不活性作用及び柔軟性、保湿性を付与した家庭衛生紙、
（４）繊維ウェブ素材の坪量が１０〜３０ｇ／ｍ２（２３℃、５０％ＲＨ）である上記（３）の家庭衛生紙、
を要旨とするものである。
【発明の効果】
【０００６】
本発明の家庭衛生紙用保湿柔軟付与剤は、ティッシュペーパー等の家庭衛生紙に柔軟性、保湿性とともに、優れたアレルゲン不活性作用を付与できる。また本発明の保湿柔軟付与剤に含有される抗花粉アレルゲン剤は、プルーンエキス等の植物エキスを含有するものであるため、抗菌性金属イオンのように金属アレルギーを引き起こす虞がなく、人体に直接接触した場合の安全性が高い。このため本発明の保湿柔軟付与剤で処理したティッシュペーパー等の家庭衛生紙は、アレルギー性鼻炎の人等でも安心して使用できる等の効果を有する。
【発明を実施するための最良の形態】
【０００７】
本発明において用いる植物エキスとしては、プルーンエキス（医薬部外品）、プルーン分解物（医薬部外品規格）、ビルベリー葉エキス、チョウジエキス（医薬部外品）、メマツヨイグサ種エキス、ハマメリスエキス（医薬部外品）等が挙げられる。上記植物エキスは１種又は２種以上を混合して用いることができる。
【０００８】
医薬部外品原料規格２００６に定められたプルーンエキス、プルーン酵素分解物は、セイヨウスモモの果実を水で抽出して得られるプルーンエキスや、セイヨウスモモの果肉を繊維素分解酵素で分解して得られるプルーン酵素分解物である。またビルベリー葉エキスはビルベリーの葉を１，３−ブチレングリコールで抽出して得られ、チョウジエキスはチョウジの蕾をエタノールで抽出して得られ、メマツヨイグサ種エキスはメマツヨイグサの種子をエタノールで抽出して得られる。またハマメリスエキスはハマメリスの葉を１，３−ブチレングリコールで抽出して得られる。
【０００９】
上記植物エキスは、溶媒に溶解又は分散させた液状や、乾燥した粉末等の形態を有する。溶媒としては水、エタノール、ブチレングリコール、プロピレングリコール、グリセリン、スクワラン、油脂や、これらの混合物等が挙げられる。溶液や分散液等の液状の場合、植物エキスを０．１重量％以上含有することが好ましい。上記植物エキスを含む具体的な商品としては、プルーン抽出液ＷＣ（プルーン酵素分解物：丸善製薬社製商品名）、ファルコレックス・チョウジ（チョウジエキス：一丸ファルコス社製商品名）、ルナホワイト（メマツヨイグサ種エキス：一丸ファルコス社製商品名）、ハマメリス抽出液ＢＧ−Ｊ（ハマメリスエキス：丸善製薬社製商品名）等が挙げられる。
【００１０】
本発明の保湿柔軟付与剤に含まれる植物エキスは、針葉樹のスギ花粉、ヒノキ花粉、カバノキ科のシラカバ花粉、ハンノキ花粉、キク科のブタクサ花粉、オオブタクサ花粉、ヨモギ花粉、セイタカアワダチソウ花粉、イネ科植物のカモガヤ花粉、オオアワガエリ花粉、ホソムギ花粉、アサ科のカナムグラ花粉等のアレルゲン不活性化作用を有するが、特にスギ花粉に対して優れた不活性化作用を発現する。
【００１１】
本発明の保湿柔軟付与剤は、保湿柔軟付与成分としてグリセリンを含有する。本発明保湿柔軟付与剤中における植物エキスの割合は０．０１〜５．０重量％が好ましく、特に０．１〜５．０重量％が好ましい。本発明の家庭紙用保湿柔軟付与剤には、更に必要に応じて防腐剤、抗菌抗カビ剤、香料、界面活性剤、多価アルコール等を配合することができる。
【００１２】
本発明の家庭衛生紙は、上記保湿柔軟付与剤中の植物エキスが、繊維ウェブ素材の乾燥重量の０．００１〜１重量％含有されるように処理してアレルゲン不活性作用及び柔軟性、保湿性を付与したものである。保湿柔軟付与剤は、繊維ウェブ製造工程中や繊維ウェブ製造後に、スプレー塗布、ロール転写等の既知の外添方法により、繊維ウェブ中に含有させることができる。本発明の家庭衛生紙は、２３℃、５０％ＲＨにおける繊維ウェブの坪量が１０〜３０ｇ／ｍ２であることが好ましい。
【実施例】
【００１３】
以下、実施例を挙げて本発明を更に詳細に説明する。
実施例１〜６、比較例１〜５
表１に示す植物エキス製品を含む処理剤を調製し、この処理剤と、スギ花粉アレルゲン（Ｃｒｙ  ｊ  １）抽出液を０．０００１％ウシ血清アルブミン−リン酸緩衝液（ＢＡＳ−ＰＢＳ）で５６０倍に希釈して調整したＣｒｙ  ｊ  １溶液とを等量混合した後、４℃で一晩反応させて測定試料とした。リン酸緩衝液（ＰＢＳ）に溶解した抗Ｃｒｙ  ｊ  １抗体１００μＬを９６穴マイクロプレートの各ウェルに注入して３７℃で３時間固相化した後、各ウェルに１％ウシ血清アルブミン（ＢＳＡ）−ＰＢＳ液５０μＬを加え、３７℃で１時間ポストコーティングした。次いで各ウェルをＰＢＳ（０．０５％Ｔｗｅｅｎ２０含有）で３回洗浄した後、各ウェルに上記測定試料１００μＬを入れ、抗アレルゲン作用をサンドイッチＥＬＩＳＡ法により測定した。また対照としては、各処理剤中の植物エキス製品に代えて、表３に示す植物エキス製品の組成に基いて、植物エキス製品の溶媒と同じ組成を有する表２に示す溶媒を配合したもの（植物エキス製品のエキス成分を、植物エキス製品の溶媒に置き換えたもの）を、Ｃｒｙ  ｊ  １溶液と等量混合して４℃で一晩静置したものを用いた。実施例、比較例において用いた植物エキス製品の組成、及びその製品を含む処理剤の対照として植物エキス製品の代わりに用いる溶媒の種類を表３に示す。尚、表１、２において、“ＢＧ”は１，３−ブチレングリコールの略称である。
【００１４】
【表１】
0005308069.tif 000002
【００１５】
（表２）
0005308069.tif 000003
【００１６】
（表３）
0005308069.tif 000004
【００１７】
各試料中の花粉アレルゲン濃度の測定は、各ウェルに発色試薬（Ｏ−Ｐｈｅｎｙｌｅｎｄｉａｍｉｎｅ  ＺＹＭＥＤ  ｌａｂｏｒａｔｏｒｉｅｓ）を加えて発色させた後、４９０ｎｍの吸光度を測定し、スギ花粉アレルゲン標準液を用いて得た検量線から求めた。各試料中の花粉アレルゲン濃度（Ａ）と、対照中の花粉アレルゲン濃度（Ｂ）とから、以下の（１）式によりスギ花粉不活性化率を求めた。結果を表４に示す。
【００１８】
（数１）
スギ花粉アレルゲン不活性化率（％）＝（Ｂ−Ａ）／Ｂ×１００      （１）
【００１９】
【表４】
0005308069.tif 000005
【００２０】
坪量１５ｇ／ｍ２の繊維ウェブ素材に、各処理剤を噴霧して２４時間風乾し、ティッシュペーパーとした。このティッシュペーパーを更に恒温恒湿室（２０℃、６５％ＲＨ）内で１２時間放置して水分量が平衡となった後、柔軟性、保湿性、抗アレルゲン性の試験を行った。これらの結果を表５に示す。
【００２１】
【表５】
0005308069.tif 000006
【００２２】
※１：繊維ウェブ素材の乾燥重量に対する処理剤の含有量（重量％）。
【００２３】
※２：柔軟性はティッシュペーパー５枚を重ねて片手で握った時の感触を、以下のようにして５段階で評価した。
５：非常に柔らかい
４：柔らかい
３：やや柔らかい
２：未処理のものと同等
１：未処理のものよりも柔軟性に劣る。
【００２４】
※３：保湿性は、秤量瓶（直径６０ｍｍ×高さ８０ｍｍ）にティッシュペーパー５枚を重ねて入れ、２５℃、４０％ＲＨの恒温恒湿室に２４時間放置したティッシュペーパー（保湿紙）の重量を精秤し、その後１００℃の乾燥機で絶乾状態にしたティッシュペーパー（絶乾紙）の重量を精秤し、以下の（２）式より保湿量（重量％）を求めた。
【００２５】
（数２）
保湿量（重量％）＝［（保湿紙の重量）÷（絶乾紙の重量）−１］×１００    （２）
【００２６】
※４：ティッシュペーパーのアレルゲン不活性化率は、タンパク低結合チューブに処理剤を含有させたティッシュペーパーと、スギ花粉アレルゲン（Ｃｒｙ  ｊ  １）抽出液を０．０００１％ウシ血清アルブミン−リン酸緩衝液（ＢＡＳ−ＰＢＳ）で５６０倍に希釈して調整したＣｒｙ  ｊ  １溶液２ｍｌを入れ、４℃で一晩反応させた後、反応液を別チューブに回収し、遠心処理した上清中のアレルゲン濃度をサンドイッチＥＬＩＳＡ法により測定した。処理液を含むティッシュペーパーより求めたアレルゲン濃度と、処理液に対応する対照を含むティッシュペーパーより求めたアレルゲン濃度から、前記（１）式よりアレルゲン不活性化率を求めた。